(57)【要約】【課題】表示中の画像及び次表示する画像の余白領域を定義し、余白領域及び遷移パターンに応じて適用するアニメーションを決定することで、スライドショー表示で余白領域が強調されないアニメーションを実行可能な画像表示装置を提供する。【解決手段】次画像表示要求を受信し画像表示指示を出力する画像表示指示部と、所定時間毎に次画像表示要求を出力するタイマ制御部と、複数の画像を記憶する画像データ記憶部と、アニメーションリストを記憶するアニメーション情報記憶部と、画像表示指示に応じて複数の画像から第１及び第２画像を特定する画像表示制御部と、第１及び第２画像の余白領域を定義する余白領域定義部と、第１及び第２画像の余白領域から遷移パターンを決定する余白遷移パターン決定部と、決定した遷移パターン及びアニメーションリストからアニメーションを特定し第１及び第２画像の画像切替時に実行するアニメーション実行部と、を具備する。【選択図】図１
2010243942.tif 000002
【特許請求の範囲】
【請求項１】
複数の画像のスライドショー表示を実行する画像表示装置であって、
画像表示要求または次画像表示要求を受信して画像表示指示を出力する画像表示指示部と、
所定時間毎に前記次画像表示要求を出力するタイマ制御部と、
前記複数の画像を記憶する画像データ記憶部と、
画像遷移パターン毎に余白領域が強調されないアニメーションを対応付けたアニメーションリストを記憶するアニメーション情報記憶部と、
前記画像表示指示に応じて、記憶された前記複数の画像から第１画像及び第２画像を特定する画像表示制御部と、
前記第１画像及び前記第２画像の余白領域を定義する余白領域定義部と、
定義された前記第１画像の余白領域及び前記第２画像の余白領域に応じて、画像遷移パターンを決定する余白遷移パターン決定部と、
決定された前記画像遷移パターン及び記憶された前記アニメーションリストに基づいて実行すべきアニメーションを特定し、特定した前記アニメーションを前記第１画像及び前記第２画像の画像切替時に実行するアニメーション実行部と、
を具備することを特徴とする画像表示装置。
【請求項２】
前記アニメーション実行部は、前記アニメーションリストに複数のアニメーションが存在する場合、直前に実行したアニメーションから実行すべきアニメーションを推測することを特徴とする請求項１に記載の画像表示装置。
【請求項３】
複数の画像のスライドショー表示を実行するための画像表示方法であって、
画像遷移パターン毎に余白領域が強調されないアニメーションを対応付けたアニメーションリストを記憶するステップと、
画像表示要求または次画像表示要求を受信して画像表示指示を出力するステップと、
前記画像表示指示に応じて、複数の画像から第１画像及び第２画像を特定するステップと、
前記第１画像及び前記第２画像の余白領域を定義するステップと、
定義された前記第１画像の余白領域及び前記第２画像の余白領域に応じて、画像遷移パターンを決定するステップと、
決定された前記画像遷移パターン及び記憶された前記アニメーションリストに基づいて実行すべきアニメーションを特定し、特定した前記アニメーションを前記第１画像及び前記第２画像の画像切替時に実行するステップと、
を有することを特徴とする画像表示方法。
【発明の詳細な説明】
【技術分野】
【０００１】
本発明は、画像表示装置及びその方法に関し、更に詳しくは、スライドショー表示において画像の余白領域が強調されないアニメーションを適用可能な画像表示装置及びその方法に関する。
【背景技術】
【０００２】
複数の画像を画像表示装置に表示させる場合、様々な手法があるが、広く一般に用いられる代表的な手法の一つに、スライドショー表示が挙げられる。スライドショー表示は、複数の画像を一定間隔で、自動で切り替えて表示していく手法である。こうした自動切り替えを行う際、単に瞬間的に表示切り替えを行うのではなく、画像（静止画コンテンツ）に視覚効果を付与するためのアニメーションを用いて描画を行う技術がある（例えば、特許文献１参照）。また、事前に、画像とメタ情報との関連付けを行っておき、定義済みのメタ情報に従って画像にアニメーション効果を適用する技術もある（例えば、特許文献２参照）。さらには、スライドショー表示を行う際に流すＢＧＭ（Ｂａｃｋ  Ｇｒｏｕｎｄ  Ｍｕｓｉｃ）の楽曲音声情報の強弱、周波数等から楽曲音声情報のテンポなどを抽出し、それに合わせてアニメーションを自動で付与する技術もある。
【０００３】
このように、スライドショー表示において画像の切り替えに上記のアニメーション技術（フェードイン・スライドイン等）を用いることで、静止画コンテンツの繋がりや、連続性を保つ視覚効果を与えることが可能となる。
【先行技術文献】
【特許文献】
【０００４】
【特許文献１】特開２００８−０３３２８０号公報
【特許文献２】特開２００６−２７９８６１号公報
【特許文献３】特開２００３−３０４４７９号公報
【発明の概要】
【発明が解決しようとする課題】
【０００５】
しかし、より効果的にアニメーションを用いるには、画像とアニメーションとの組み合わせが重要であり、組み合わせによっては、むしろ表示に違和感を与えてしまう場合もある。具体的には、画像表示装置と異なる解像度を持つ静止画を表示する場合、解像度の差異を吸収するために、画像の上下、または、左右に固定パターンで塗り潰した余白領域（黒帯領域）の挿入が必要となる。これらの領域は、表示の都合で挿入する領域であるため、内容的にも色彩的にも元の画像との関連性が無い領域である。従って、こうした余白領域を持つ画像に対して、その余白領域が強調されるようなアニメーションを適用してしまうと、上記従来の技術では、スライドショー表示の画像の連続性を損なう視覚効果を与えてしまうという問題があった。
本発明は、上記課題に鑑みてなされたものであって、表示中の画像及び続けて表示する画像の余白領域を分類し、分類された余白領域及びその遷移パターンに応じて、適切にアニメーションをデータベースから決定することで、余白領域が強調されないアニメーションを適用することのできる画像表示装置及びその方法を提供することを目的とする。
【課題を解決するための手段】
【０００６】
本発明の画像表示装置では、静止画の余白領域を画像のアスペクト比に基づいて定義し、連続して表示する画像間において、その遷移パターンを分類する。そして、遷移パターン毎に、適用可能なアニメーションをデータベース化しておき、その中から、適用するアニメーションを決定する事で、余白領域の変化に応じて、その領域が強調されてしまうアニメーションを抑制する。
【発明の効果】
【０００７】
本発明により、余白領域の遷移パターンに応じて、適用するアニメーションを制限することが可能となる。従って、余白領域が強調されるアニメーションを抑制することができる。
【図面の簡単な説明】
【０００８】
【図１】本発明の実施例１にかかる画像表示装置の構成を示すブロック図
【図２】同実施例にかかる画像表示処理を示すフローチャート
【図３】同実施例にかかる余白領域の定義を示す図
【図４】同実施例にかかる余白領域定義に基づく遷移パターンを示す図
【図５】同実施例にかかるアニメーション情報を示す図
【発明を実施するための形態】
【０００９】
以下本発明を実施するための形態について、図面を参照しながら説明する。
【実施例１】
【００１０】
図１は、本発明の実施例１にかかる画像表示装置の構成を示すブロック図である。画像表示装置１００は、画像表示指示部１０１、タイマ制御部１０２、画像表示制御部１０３、画像表示部１０９、画像データ記憶部１０７、アニメーション情報記憶部１０８から構成される。さらに、画像表示制御部１０３は、余白領域定義部１０４、余白領域遷移パターン決定部１０５、アニメーション実行部１０６から構成される。
画像表示指示部１０１は、リモコンやタイマ制御部１０２からの要求を受け、新しい画像の表示指示を画像表示制御部１０３に出す。
タイマ制御部１０２は、一定時間毎に表示画像を自動で切り替えていく際に使用され、画像表示指示部１０１からの最後の表示指示を受け、タイマによる一定時間経過後、次の画像表示のための要求（画像表示要求）を、画像表示指示部１０１に出す。
【００１１】
画像表示制御部１０３は、図２に示す流れに沿って、画像表示指示部１０１からの表示指示を受けて処理を開始する（Ｓ２０１で「Ｙ」）。初めに、指示された画像（静止画Ａ）、および、指示された画像の次の画像（静止画Ｂ）の２つのデータを画像データ記憶部１０７から取得する（Ｓ２０２）。その後、余白領域定義部１０４、余白遷移パターン決定部１０５、アニメーション実行部１０６の各ブロックにて、後述する手法により適用するアニメーションを決定し、画像表示部１０９へ出力する。以降順番に詳述する。
初めに、余白領域定義部１０４の処理について記載する（Ｓ２０３）。画像をディスプレイに表示する場合、余白領域の有無とそのパターンは、図３に示す手法を用いて、画像の縦横比を表すアスペクト比から３つに分類することができる。画像のアスペクト比がディスプレイのアスペクト比と等しい場合、余白領域は存在せず、余分な領域を表示する必要がない表示形態（「余白無し」）となる（図３（ａ））。画像のアスペクト比が、ディスプレイのアスペクト比よりも大きい場合、画像の上下に余白領域が必要となり、これらの領域を固定パターンで塗り潰した領域の挿入が必要となり、一般にレターボックスと呼ばれる表示形態（「レターボックス」）となる（図３（ｂ））。逆に、画像のアスペクト比が、ディスプレイのアスペクト比よりも小さい場合、画像の左右に余白領域が必要となり、これらの領域を固定パターンで塗り潰した領域の挿入が必要となり、一般にピラーボックスと呼ばれる表示形態（ピラーボックス）となる（図３（ｃ））。余白領域定義部１０４では、入力される静止画Ａ、および静止画Ｂのそれぞれに関して、この余白領域分類に基づいて、「余白無し」、「レターボックス」、「ピラーボックス」のいずれかに分類を行い、結果を余白遷移パターン決定部１０５に渡す。
次に、余白遷移パターン決定部１０５の処理に関して記載する（Ｓ２０４）。余白遷移パターン決定部１０５では、静止画Ａ、静止画Ｂの両画像に対する余白の分類結果から、図４に示す表に基づいて、その遷移パターンを９つのパターンから決定し、その結果をアニメーション実行部１０６に渡す。例えば、静止画Ａが「余白無し」の表示形態であって、静止画Ｂが「余白無し」の表示形態である場合は、遷移パターンは「遷移パターン１」となる。また、静止画Ａが「ピラーボックス」の表示形態であって、静止画Ｂが「ピラーボックス」の表示形態である場合は、遷移パターンは「遷移パターン９」となる。
【００１２】
なお、ここでは９つの遷移パターンに分類を行っているが、より詳細な分類を行っても良い。例えば、遷移パターン５や遷移パターン９は、より細かく区分けして、「余白領域の幅が増す場合」、「余白領域の幅が減少する場合」といったような詳細な分類をすることも可能である。
【００１３】
最後に、アニメーション実行部１０６の処理について記載する（Ｓ２０５）。アニメーション実行部１０６では、余白遷移パターン決定部１０５で決定された遷移パターンから、適用するアニメーションの決定を行い、そのアニメーションを適用して静止画Ａから静止画Ｂへ書き換えを行う。適用するアニメーションの決定には、アニメーション情報記憶部１０８に保存している情報を用いる。アニメーション情報記憶部１０８には、図５に示すように、遷移パターン毎に対応づけられたアニメーションリストを保持している。アニメーションリストは、各遷移パターンに対して、その余白領域が強調されないアニメーションを選択的に集めたリストである。アニメーション描画を行う際には、入力される遷移パターンに応じて、対応するアニメーションリストを取り出し、その中から適用するアニメーションを任意に決定し描画を行う。
【００１４】
画像表示指示部１０１は、タイマ制御部１０２から次の画像表示要求を受ける度に静止画Ａ、静止画Ｂの設定を行い、上記の画像表示制御処理を実行する。
【００１５】
なお、アニメーション実行部１０６はアニメーションリストに複数のアニメーションが存在する場合は、予めユーザが設定した優先度の高いアニメーションを適用すべきアニメーションとしてもよい。また、直前に実行したアニメーションから次に実行可能なアニメーションを推測し、推測されたアニメーションに合致する、あるいは推測されたアニメーションに類似するアニメーションを適用すべきアニメーションとしてもよい。
【産業上の利用可能性】
【００１６】
本発明によれば、余白領域が強調されるアニメーションを抑制することができるので、テレビ、携帯電話端末、ＤＶＤレコーダー、ＤＶＤプレーヤー等の画像のスライドショー表示を実行する画像表示装置に有用である。
【符号の説明】
【００１７】
１００    画像表示装置
１０１    画像表示指示部
１０２    タイマ制御部
１０３    画像表示制御部
１０４    余白領域定義部
１０５    余白遷移パターン決定部
１０６    アニメーション実行部
１０７    画像データ記憶部
１０８    アニメーション情報記憶部
１０９    画像表示部
【図１】
2010243942.tif 000003
【図２】
2010243942.tif 000004
【図３】
2010243942.tif 000005
【図４】
2010243942.tif 000006
【図５】
2010243942.tif 000007